(57)【要約】少なくとも１つの中空部（２）を取り囲む平らな上部面を有する第１のフォイル（１）を有するパッケージであって、該パッケージは第２のフォイル（３）の蓋を有し、該第２のフォイルはすべての中空部についてはがれて開くことができ、フラップ（４）を有するすべての蓋の場所で上部面に接着し、フラップとともに蓋ははがれて開くことができ、フラップは互いに接着した第１のフォイル（１）と第２のフォイル（３）とからなり、第１のフォイル内には直線状のカット（９）が存在し、これはフラップを第１のフォイルの残余の部分から引き離すパッケージにおいて、カット（９）が第１のフォイルの上部面にあり、フォイルを完全に切断せず、フラップが強く押し下げられたとき、カットが広がり、第１のフォイルが破壊された後、蓋（３）がはがれて開くことができることを特徴とするパッケージ。
2004528239.tif 000002
【特許請求の範囲】
【請求項１】
少なくとも１つの中空部（２）を取り囲む平らな上部面を有する第１のフォイル（１）を有するパッケージであって、該パッケージは第２のフォイル（３）の蓋を有し、該第２のフォイルはすべての中空部についてはがれて開くことができ、上部面に接着し、すべての蓋はフラップ（４）を有し、フラップとともに蓋ははがれて開くことができ、フラップは互いに接着した第１のフォイル（１）と第２のフォイル（３）とからなり、第１のフォイル内には直線状のカット（９）が存在し、該カットがフラップを第１のフォイルの残余の部分から引き離すパッケージにおいて、カット（９）が第１のフォイルの上側にあり、フォイルを完全に切断せず、フラップが強く押し下げられたとき、カットが広がり、第１のフォイルが破壊された後、蓋（３）がはがれて開くことができることを特徴とするパッケージ。
【請求項２】
第２のフォイル（３）が、カットの近傍で第１のフォイル（１）に接着していないことを特徴とする請求項１記載のパッケージ。
【請求項３】
フラップにおいて、２つのフォイルを融合することにより第２のフォイルが第１のフォイルに接着していることを特徴とする請求項１または２記載のパッケージ。
【請求項４】
フラップにおいて、接着剤により第２のフォイルが第１のフォイルに接着していることを特徴とする請求項１または２記載のパッケージ。
【請求項５】
カット（９）の外側に、これと平行に、第１のフォイル（１）と第２のフォイル（３）がくぼみ（１２）を形成し、これらのフォイルが、くぼみ内またはカットとくぼみの間の領域において互いに接着していないことを特徴とする請求項１記載のパッケージ。
【請求項６】
第２のフォイル（３）が第１のフォイルの外側端（１６）の周りに曲げられ、カットの外側のみが第１のフォイルと曲げ部分（１７）において融合され、曲げ部分が第１のフォイルの外側端（１６）の外側になり、カットの場所で第１のフォイルがはがれるのに必要な程度までフラップが下向きに曲がることを第２のフォイルが防止することを特徴とする請求項１記載のパッケージ。
【請求項７】
第２のフォイル（３）がカット（９）の外側の第１のフォイル（１）と融合され、カットと直角に測定された時、この融合領域（１８）の内側の第２のフォイルの長さは第１のフォイルよりも長いことを特徴とする請求項１記載のパッケージ。
【発明の詳細な説明】
【技術分野】
【０００１】
本発明は、医薬用タブレットおよびカプセルに特にふさわしいパッケージに関する。
【０００２】
長い間、１個ごとに包装される最も一般的な医薬用タブレットはブリスターパッケージであり、これはブリスターバブルを押すことによりタブレットが押し出され、ブリスターをカバーする蓋が崩れて、タブレットが壊れた蓋を通って現われるものであった。特に、高齢者と身体障害者にとって、これらのブリスターからのタブレットは押し出すのが難しい場合があった。誰にとっても押し出すことが容易であるようにすると、それらは小さな子供にとっても押し出すことが容易となる。一部で用いられているブリスターにおいては、子供にも、いくつかのブリスターバブルが押し出されたことが容易に分かる。したがって、タブレットを得るために、バブルを押して、蓋を壊すと、タブレットが出てくることと理解することは、子供にとって簡単である。したがって、この種のブリスターはそれほど子供には安全ではない。もちろんバブルが厚く堅い材料であれば、子供の安全性は増大するが、それは大人にとっても外に押し出すことが難しくなるであろう。
【０００３】
医薬用タブレットのための別のタイプのブリスターはスウェーデン特許５１３５３５に記述される。ここで、蓋はフラップを直接引くことにより開くようにはがれてあけられる。これも小さな子供によって理解される場合がある。このパッケージはしたがって特に子供にも安全であるというわけではない。
【０００４】
本発明は、小さな子供がそれを開くのを妨げることについてのより大きなセキュリティが得られるパッケージに関する。しかしそれを開く方法を理解する人々にとっては開けるための困難はない。
本発明は、特許の請求項に記述される特性を持っている。
本発明は、発明の例を示す図を参照しながら下記に詳細に記述される。
縮尺は明瞭性のために誇張された。
【０００５】
図１は、１つの側から見られたパッケージを示す。
図２は、上から見た図１のパッケージを示す。
図３は、パッケージの残余のより低い部分を有するフラップの組み合せを拡大して示す。
図４は、図３のフラップを示すが、下方へ曲げている。
図５は、フラップの第２のバージョンを拡大したものである。
図６は、図５のフラップを示すが、下方へ曲げている。
図７は、フラップの第３のバージョンを示す。
図８は、フラップの第４のバージョンを示す。
【０００６】
図では、比較的厚く堅い第１のフォイルは１として示される。タブレットが保持されているこの中空部（バブル）２から、公知の方法で押し出される。第１のフォイルには、すべての中空部を取り囲む平らな上部面がある。平らな上部面は、中空部の蓋を形成して、開くようにはがれることができる、薄い第２のフォイル３によって完全にカバーされる。第２のフォイルは、図２の中の１０個の中空部のうちの１つから引き離されている。フラップは４で示され、図２の中の破線５の外部にある材料である。図２の中の斜線部分６は、第１のフォイル１の上部面に第２のフォイルが付けられる場所であり、ここで開くようにはがれることができる。第２のフォイルは線７および８に沿って切断された。第２のフォイルが適用される前に、カット９が第１のフォイルに施された。図３および４のカットは、図２の中の破線５に対応する。そのカットは、第１のフォイルの残りの部分からフラップを分離する。カットは完全に第１のフォイル１を切断しない。それは図３の中で明白に示される。図３および４では、第２のフォイルはカット近傍で接着せず、カットのそばのエリア１０および１１でのみ接着している。
【０００７】
第２のフォイルが開くようにはがれる場合、それは中空部（バブル）の上の蓋が開くことであり、フラップは最初に、図４の中で示されるように下方へ曲げられなければならない。下へ十分に曲げられた時、残りの材料は、カット９の下に折れる。これが完全に折れた時、フラップは上方へ曲げることができ、そして第２のフォイル（蓋）が開くようにはがれる。第１のフォイルが下へ曲がっている時、第２のフォイルはますます広げられたカットにの上に伸ばされる。第２のフォイルが少しだけ伸ばすことができ、そしてそれがカット近傍で接着されてなく、それが接着されている１０から１１の間の領域で伸ばされることができる場合、これは可能である。たとえばそれがアルミニウムフォイルを含んでいるため、第２のフォイルが弾性でない場合、それは、自己接着性の接着剤でエリア１１で接着することができる。その後、第２のフォイルは、この接着剤上に滑らせることができる。
【０００８】
弾性でない第２のフォイルを使用する他の方法は、図５−８の中で示される。
図５および６では、第１のフォイルおよび第２のフォイルが、カットと平行なくぼみ１２が形成される。ここで、２つのフォイルはエリア１３および１４で融合されている。それらはカットとくぼみの上では融合されていない。フラップが下へ曲げられた場合、第２のフォイルの材料１５はくぼみで伸ばされる。それは図６の中で明白に示される。
【０００９】
図７の中で、第２のフォイル３が、第１のフォイルの外側の端部１６のまわりで曲がっていて、カットの外側でのみ曲部分１７中の第１のフォイルとともに融合され、第１のフォイルの外側端１６の外側まで曲げられ、カットの場所で第１のフォイルがはがれるのに必要な程度までフラップが下向きに曲がることを第２のフォイルが防止する。
【００１０】
図８の中で、第２のフォイル３がカットの外側の第１のフォイル１と融合され、カットと直角に測定された時、この融合領域１８の内側の第２のフォイルの長さは第１のフォイルよりも長い。
【００１１】
パッケージの、あるいはパッケージを含んでいる箱の書面の指示には、フラップを最初に下へ曲げた後、蓋を開くようにはがすことができる、と記載することができる。これは、十分な知識のない人や、読むことができない人々によって理解されないだろう。したがって、このパッケージのデザインは初期のモデルより子供にも安全である。大きな強さはそれを開くためには必要ではない。したがって、それは、知識のある人にとっては難しくない。
【図面の簡単な説明】
【００１２】
【図１】図１は、１つの側から見られたパッケージを示す。
【図２】図２は上から見た図１のパッケージを示す。
【図３】図３は、パッケージの残余のより低い部分を有するフラップの組み合せを拡大して示す。
【図４】図４は、図３のフラップを示すが、下方へ曲げている。
【図５】図５は、フラップの第２のバージョンを拡大したものである。
【図６】図６は、図５のフラップを示すが、下方へ曲げている。
【図７】図７は、フラップの第３のバージョンを示す。
【図８】図８は、フラップの第４のバージョンを示す。
【国際公開パンフレット】
2004528239.tif 000003
2004528239.tif 000004
2004528239.tif 000005
2004528239.tif 000006
2004528239.tif 000007
2004528239.tif 000008
2004528239.tif 000009
2004528239.tif 000010
2004528239.tif 000011
【国際調査報告】
2004528239.tif 000012
2004528239.tif 000013